(57)【要約】【課題】複数の人が操作可能な情報機器において、操作した個人を識別し、該個人に対する個別情報を情報機器側で認識して要求された情報を表示することを可能とした情報表示システムを得る。【解決手段】情報表示装置１０に対して信号を送信する端末装置２０と、該端末装置２０にＩＤ番号情報を付与するＩＤ書込装置３０とを有する情報表示システムであって、前記端末装置２０は、前記ＩＤ書込装置３０を介してＩＤ番号情報を記録できる書換可能なＩＤ受信素子２３と、前記情報表示装置１０の操作を行う操作信号を入力する入力部２２と、前記情報表示装置１０に対してＩＤ番号情報を含んだ操作信号が発信される赤外線発光素子２４と、本体裏面に貼着され印字及び印字消去が可能なシート材２６とを具備し、ＩＤ書込装置３０にシート材２６へのＩＤ番号情報の印字及び消去を行う印字機構３２を設ける。【選択図】    図１
2004221798.tif 000002
【特許請求の範囲】
【請求項１】
情報表示装置に対して信号を送信する端末装置と、該端末装置にＩＤ番号情報を付与するＩＤ書込手段と、前記端末装置にＩＤ番号情報を印字する印字手段とを有する情報表示システムであって、
前記端末装置は、前記ＩＤ書込手段によりＩＤ番号情報を記録できる書換可能な記憶装置と、前記情報表示装置の操作を行う操作信号を入力する入力部と、前記情報表示装置に対してＩＤ番号情報を含んだ操作信号が発信される赤外線発光素子と、本体裏面に貼着され印字及び印字消去が可能なシート材とを具備する一方、
前記印字手段により前記シート材へのＩＤ番号情報の印字及び消去を行う
ことを特徴とする情報表示システム。
【請求項２】
情報表示装置に対して信号を送信する端末装置と、該端末装置にＩＤ番号情報を付与するＩＤ書込装置とを有する情報表示システムであって、
前記端末装置は、前記ＩＤ書込装置を介してＩＤ番号情報を記録できる書換可能な記憶装置と、前記情報表示装置の操作を行う操作信号を入力する入力部と、前記情報表示装置に対してＩＤ番号情報を含んだ操作信号が発信される赤外線発光素子と、本体裏面に貼着され印字及び印字消去が可能なシート材とを具備する一方、
前記ＩＤ書込装置に前記シート材へのＩＤ番号情報の印字及び消去を行う印字機構を設けた
ことを特徴とする情報表示システム。
【請求項３】
ホストサーバーと、該ホストサーバーからの情報がネットワークを通じて共有されて表示できるディスプレイ手段を有する複数のセットトップボックスと、書換可能なＩＤ番号情報を記憶し前記セットトップボックスに対して信号を送信するに際してＩＤ番号情報を含んだ操作信号が発信される端末装置と、該端末装置にＩＤ番号情報を付与するＩＤ書込装置とを具備し、
前記端末装置の本体裏面にＩＤ書込装置によるＩＤ番号情報を入力する際にＩＤ番号情報を印字するシート材を貼着した
ことを特徴とする情報表示指令システム。
【発明の詳細な説明】
【０００１】
【発明の属する技術分野】
本発明は、端末装置により情報表示装置の操作を行う情報表示システム及び情報表示指令システムに関し、情報表示装置を操作する各人が特定されるように、端末装置に各人の個人複数を記録して操作した個人を識別して情報表示を行うシステムに関する。
【０００２】
【従来の技術】
複数の使用者でモニターを共用する情報システムは、例えば共用されるインターネットテレビにおいて、複数のリモコンを用いて各人がテレビの操作を行うことができる情報システムが提案されている。
【０００３】
この情報システムによれば、各人が使用するリモコンによるインターネットテレビの電源投入により、リモコン側に予め付与された識別コードが自動的に送信され、テレビ側で受信した識別コードがテレビ側に予め登録されている識別コードに一致することによりリモコンを使用する各人を識別し、識別結果に従い認証された者にのみ前記インターネットテレビ操作を行うことができるようになっている（例えば、特許文献１参照）。
【０００４】
【特許文献１】
特開２０００−９９１８４号公報
【０００５】
【発明が解決しようとする課題】
しかしながら上記のような情報システムでは、リモコンに予め登録された識別コードでテレビが操作可能になるだけで、リモコンを使用している各人の要求をネットワークを通じて許可された人だけが、サーバーにデータを送ったり、また、各人の情報を利用して各種のデータ処理を行うようなことはなかった。
【０００６】
本発明は上記実情に鑑みてなされたもので、複数の人が操作可能な情報機器において、操作した個人を識別し、該個人に対する個別情報を情報機器側で認識して要求された情報を表示することを可能とした情報表示システム及び情報表示指令システムを提供することを目的とする。
【０００７】
【課題を解決するための手段】
上記目的を達成するため請求項１は、情報表示装置１０に対して信号を送信する端末装置２０と、該端末装置２０にＩＤ番号情報を付与するＩＤ書込手段と、前記端末装置２０にＩＤ番号情報を印字する印字手段とを有する情報表示システムであって、
前記端末装置２０は、前記ＩＤ書込手段によりＩＤ番号情報を記録できる書換可能な記憶装置（ＩＤ受信素子２３）と、前記情報表示装置１０の操作を行う操作信号を入力する入力部と、前記情報表示装置１０に対してＩＤ番号情報を含んだ操作信号が発信される赤外線発光素子２４と、本体裏面に貼着され印字及び印字消去が可能なシート材２６とを具備する一方、
前記印字手段により前記シート材２６へのＩＤ番号情報の印字及び消去を行うことを特徴とする情報表示システム。
【０００８】
請求項２は、情報表示装置１０に対して信号を送信する端末装置２０と、該端末装置２０にＩＤ番号情報を付与するＩＤ書込装置３０とを有する情報表示システムであって、
前記端末装置２０は、前記ＩＤ書込装置３０を介してＩＤ番号情報を記録できる書換可能な記憶装置（ＩＤ受信素子２３）と、前記情報表示装置１０の操作を行う操作信号を入力する入力部と、前記情報表示装置１０に対してＩＤ番号情報を含んだ操作信号が発信される赤外線発光素子２４と、本体裏面に貼着され印字及び印字消去が可能なシート材２６とを具備する。
そして、前記ＩＤ書込装置３０に前記シート材２６へのＩＤ番号情報の印字及び消去を行う印字機構３２を設けたことを特徴としている。
【０００９】
請求項３は、ホストサーバー１５と、該ホストサーバー１５からの情報がネットワークを通じて共有されて表示できるディスプレイ１１手段を有する複数のセットトップボックス１０と、書換可能なＩＤ番号情報を記憶し前記セットトップボックス１０に対して信号を送信するに際してＩＤ番号情報を含んだ操作信号が発信される端末装置２０と、該端末装置２０にＩＤ番号情報を付与するＩＤ書込装置３０とを具備し、
前記端末装置２０の本体裏面にＩＤ書込装置３０によるＩＤ番号情報を入力する際にＩＤ番号情報を印字するシート材２６を貼着したことを特徴としている。
【００１０】
本発明によれば、ＩＤ書込手段又はＩＤ書込装置３０により個人に対する個別情報（ＩＤ番号情報）を端末装置２０に書き込み、この端末装置２０からＩＤ番号情報を含んだ操作信号が発信されることでディスプレイ手段（情報表示装置１０）の操作を可能とするとともに、端末装置２０に貼着されたシート材２６へのＩＤ番号情報の印字及び消去を行う印刷機構３２を設けたことで、端末装置２０自体にＩＤ番号情報を表示でき、使用者が自分のＩＤ番号等の情報を目視により確認することができる。
【００１１】
【発明の実施の形態】
本発明の実施の形態の一例としての情報表示指令システムについて、図面を参照しながら説明する。
この情報表示指令システムは、図１に示されるように、モニター等の各種情報を表示するディスプレイ１１を備えた複数の情報表示装置（表示コントローラ）１０と、この情報表示装置１０に対して信号を送信する端末装置（リモコン）２０と、この端末装置２０にＩＤ番号情報を付与するＩＤ書込装置３０とを含んで構成されている。
【００１２】
端末装置２０は、カード型の薄い形状で構成され、書換可能なＩＤ番号情報を記憶できる構成となっている。
情報表示装置１０には、デジタル動画再生、ネットワーク機能を持ったセットトップボックス（ＳＴＢ）を使用し、適宜場所に設置された各情報表示装置（ＳＴＢ）１０に対して、端末装置２０を操作することにより希望する情報（動画、音声、画像、案内情報、個人情報等）を表示させることができるようになっている。
【００１３】
以下、情報表示装置１０及び端末装置２０のより詳細な構成について説明する。
情報表示装置１０を構成する各セットトップボックス（ＳＴＢ）は、図１及び図２に示すように、ディスプレイ１１及びスピーカー（図示せず）、赤外線受光素子１２を備え、ホストサーバー１５に接続されることでネットワークを構成し、ホストサーバー１５から供給されるデジタルの動画、各種画像、音声について、高速ネットワークを通じてリアルタイム再生（ストリーミング）することができるように構成されている。
【００１４】
赤外線受信素子１２は、端末装置２０の赤外線発光素子２４から照射された信号を受信し、端末装置２０に記憶されたＩＤ番号情報及び操作情報をホストサーバー１５に送るためのものである。
【００１５】
すなわち、各情報表示装置１０は、ホストサーバー１５との間でデータの送受信を行うデータ処理部１３と、赤外線受信素子１２又はホストサーバー１５からのデータを記録する記録部１４とを具備することで、端末装置２０からの操作に基づいて、ホストサーバー１５からデジタルの動画、各種画像、音声等を供給しリアルタイム再生（ストリーミング）を行うように構成されている。
【００１６】
端末装置２０は、図３に示すように、方形状のプラスチックフレーム本体２１と、この本体２１の凹部に配置された操作釦部（入力部）２２と、プラスチックフレーム本体に内蔵され書換可能な記憶装置であるＲｆ−ＩＤ（Ｒａｄｉｏ−ｆｒｅｑｕｅｎｃｙ  ＩＤ）等のＩＤ受信素子（記憶装置）２３とを具備して構成されている。フレーム側面には、端末装置２０による操作情報を情報表示装置（ＳＴＢ）１０の赤外線受光素子１２に送信するための赤外線発光素子２４が装着されている。
【００１７】
すなわち、端末装置２０は、入力されたデータを制御して発信するための制御部２６を具備することで、操作釦部（入力部）２２からの操作に基づいて、ＬＥＤドライバ２７を介して赤外線発光素子２４を駆動してデータを発信するとともに、ＩＤ受信素子２３からＩＤ番号を検知し記録するように構成されている。
【００１８】
また、ＩＤ受信素子２３として使用されるＲｆ−ＩＤ（Ｒａｄｉｏ−ｆｒｅｑｕｅｎｃｙ  ＩＤ）は、アンテナセンサを有することにより送受信可能なＩＤ送受信素子と使用することができ、このアンテナセンサを通じて外部から情報の書き込み／読み出しが可能なように構成されている。
したがって、ＩＤ受信素子２３にＲｆ−ＩＤを使用した場合、情報表示装置（ＳＴＢ）１０側に端末装置２０の内のＩＤ番号情報を受信できるアンテナセンサ（図示せず）を具備することにより、ＩＤ番号情報を赤外線発光素子２４からの信号とは別の経路で、情報表示装置（ＳＴＢ）１０側で検知することができ、また、情報表示装置（ＳＴＢ）１０側から端末装置２０のＩＤ番号情報を書き直すことが可能となる。この場合、ＩＤ受信素子（ＩＤ送受信素子）２３からＩＤ番号情報を直接情報表示装置（ＳＴＢ）１０側に送ることになるので、ＩＤ受信素子２３と端末装置２０内の制御部２６とは接続されていなくともよい。
【００１９】
また、フレーム本体２１の表面側には、フレーム本体の全体２１を覆う薄状シート２５が装着され、裏面側には印字及び印字消去（再書き込み）が可能なシート材２８が貼着されている。
【００２０】
操作釦部２２は情報表示装置１０の操作を行う操作信号を入力するための入力部となるもので、複数の押圧釦から構成されるメインブレイン型スイッチが使用され、対応する薄状シート２５の表面には操作釦部２２の各釦の操作内容が表示されている。
【００２１】
薄状シート２５に操作内容が表示された各スイッチは、例えば図２に示すように、メニュー、解除（クリヤ）、音量（ボリューム）、送付（センド）の機能キーと、各機能の実行を行うための選択（セレクト）キーと、上下左右の４つの矢印キーとから構成され、機能キーで機能を選択した後に、ディスプレイ１１に表示されたカーソルを移動させ選択キーを押すことで操作を行うようになっている。
メニューは、情報メニューを表示させるためのキーであり、解除（クリヤ）はメニュー画面に戻すためのキーであり、音量（ボリューム）は音量調整を行うためのキーであり、送付は情報を送信するためのキーである。
【００２２】
端末装置２０に内蔵されたＩＤ受信素子２３に対しては、ＩＤ書込装置３０によりＩＤ番号情報が付与されるようになっている。すなわち、ＩＤ書込装置３０は、端末装置２０の裏面が底面側に載置可能な形状に構成され、ＩＤ書込装置３０内に端末装置２０を載置しパーソナルコンピュータ３５に接続されることで、端末装置２０のＩＤ受信素子２３に書き込まれるＩＤ番号情報等の各種情報がコンピュータ３５側から配信され、ＩＤ書込装置３０に装着された接触型若しくは非接触型のデータ供給装置３１によりＩＤ受信素子２３への書き込みが行われる。この書き込みは、既に書き込まれたＩＤ番号情報がある場合にはこれを消去することにより、繰り返して行うことができるようになっている。
【００２３】
このＩＤ書込装置３０は、ＩＤ番号情報の他に、端末装置２０の操作釦部２２の機能変更のためのデータを受け渡すようにしてもよい。
【００２４】
また、ＩＤ書込装置３０には、端末装置２０のシート材２８と接触する部分に消去用及び記録用のサーマルヘッドを備えた印字機構３２が装着されている。そして、端末装置２０のＩＤ受信素子２３にＩＤ番号情報を記憶させるに際して、端末装置２０の裏面のシート材２８に数字などによるＩＤ番号２９ａやバーコード２９ｂ等のＩＤ番号情報を同時に印字するようになっている。この印字機構３２は、消去用ヘッドを有しているので、ＩＤ受信素子２３へのＩＤ番号情報等の記憶と同時に、シート材２８上でのＩＤ番号２９ａ及びバーコード２９ｂの消去及び再書き込みを行うことができる。
【００２５】
また、シート材２８へのＩＤ番号情報の印字は、ＩＤ受信素子２３へのＩＤ番号情報の記憶と同時に行うことができるので、ＩＤ受信素子２３に記憶される内部情報とプリント内容との不一致を防止することができる。
【００２６】
記憶されたＩＤ番号情報は、メインブレイン型スイッチのメニューキーを押すことで赤外線発光素子２４から発信されて情報表示装置（ＳＴＢ）１０側で受信された後、ホストサーバー１５側に送信されＩＤ番号情報の照会が行われるように構成されている。
また、上記例ではメニューキーを押すことでＩＤ番号情報が発信されるようにしたが、いずれのキーを押した場合でもＩＤ番号情報を含んだ操作信号が発信されるような構成であってもよい。
【００２７】
上述の例では、端末装置２０に内蔵されたＩＤ受信素子２３に対しては、ＩＤ書込装置３０によりＩＤ番号情報が付与されるように構成したが、端末装置２０側の手動操作により使用者自身が設定するようにすることもできる。
すなわち、予めＩＤ番号情報の設定の仕方を決めておき、情報表示装置（ＳＴＢ）１０のディスプレイ１１で確認しながら指示に従って入力し、端末装置２０のＩＤ受信素子２３にＩＤ番号情報を記憶させるようにする。
この場合、シート材２８へのＩＤ番号２７の印字は、印字機能により印字するに際して、ＩＤ受信素子２３から一旦読み出したＩＤ番号情報を印字することになる。
【００２８】
次に、上述の情報表示指令システムを病院で使用する例について説明する。
ＩＤ書込み装置３０は病院の受付等に設置され、外来や入院患者がチェックインするに際して配布するカード型端末装置２０のＩＤ受信素子２３にＩＤ番号情報を記憶させ、この端末装置２０を入院患者や外来患者に貸し出すようにする。
カード型端末装置２０の裏面側のシート材２６には、ＩＤ番号情報の書込みに際してＩＤ番号情報が印字されるので、病院内の各部署でＩＤ番号情報が必要となった場合に、これを目視により確認することができる。
【００２９】
端末装置２０で操作が可能な各情報表示装置（ＳＴＢ）１０は、病院内の待合室、休憩室、病室に設置されることで、これらの場所において端末装置２０の使用者がアクセスすることが可能となる。
情報表示装置（ＳＴＢ）１０にアクセスするに際しては、端末装置２０のメニューキーを押すことで、ＩＤ番号情報が赤外線発光素子２４から発信されてホストサーバー１５側に送信されて照会が行われ、適正な使用者であると判断した場合には各種情報のインデックス画面が情報表示装置（ＳＴＢ）１０のディスプレイ１１上に表示される。
【００３０】
インデックス画面には、例えば、病院内情報（院内案内、診察待ち状態案内、端末使用者の現在位置、担当医師のスケジュール、緊急情報）、共通情報（映画／ニュース、音楽、ゲーム、医療情報、時計表示）、インターネット等が表示され、端末装置使用者が選択することで、選択された画面が設定される。また、映画等のソフトを閲覧するような場合には、ＩＤ番号情報を検知することで、端末装置使用者の課金情報とすることができる。
【００３１】
上記例では、端末装置２０内に装着した（埋め込んだ）ＩＤ受信素子２３にＩＤ番号情報を記録するように構成したが、ＩＤ受信素子２３に送受信可能なＲｆ−ＩＤを使用する場合、カード型の端末装置２０に紐状のストラップを装着し、このストラップにＩＤ送受信素子としてのＩＤチップが装着されたものであってもよい。
【００３２】
上述の情報表示指令システムによれば、ＩＤ番号情報が端末装置２０に書き込まれているので、端末装置２０が使用された場合に、誰が端末装置２０を使用しているかをホストサーバー１５側で把握することでき、情報表示装置（ＳＴＢ）１０を設置している位置が予め判っているので、使用者の現在位置を認識することができる。
また、ＩＤ受信素子２３にセンサ機能を持たせる場合には、ホストサーバー１５側で常時各端末装置２０の位置をモニターして管理することが可能となるので、端末装置２０を使用していなくとも、最寄の情報表示装置（ＳＴＢ）１０から使用者の位置を認識することができる。
【００３３】
端末装置２０に書き込まれたＩＤ番号情報は書き換え可能であるので、端末装置２０の使用者が代わった際には再度書込みを行って変更すれば、同じ装置を繰り返して使用できる。
端末装置２０の裏面のシート材２６にＩＤ番号情報が印字されているので、この部分も情報の受け渡し若しくはＩＤ確認として利用できる。
また、印字が消去可能なシート材２６を使用することで、印字を繰り返して行うことができるようにしたので経済的である。
【００３４】
上述した情報表示指令システムは、病院内での使用の他、様々な隔離された領域（船、アミューズメントパーク、ゴルフ場など）でも同様に使用することができ、いつでも、どこからでも情報を得る、または指令することのできるユビキタスシステムを実現するための一つのとして有効である。
【００３５】
【発明の効果】
本発明の情報表示指令システムによれば、ＩＤ書込み装置により書き込まれた個別情報（ＩＤ番号情報）を発信することで使用者を特定してディスプレイ手段（情報表示装置）の操作を可能とするとともに、ＩＤ書込み装置に端末装置に貼着されたシート材へのＩＤ番号情報の印字及び消去を行う印刷機構を設けたことで、端末装置自体にＩＤ番号情報を表示できるので、目視によりＩＤ番号情報を確認することができる。
【図面の簡単な説明】
【図１】本発明の情報表示指令システムの構成説明図である。
【図２】本発明の情報表示指令システムの構成を示すブロック図である。
【図３】（ａ）（ｂ）は本発明の情報表示指令システムで使用されるカード型端末装置を示すもので、（ａ）は斜視説明図、（ｂ）は裏面説明図である。
【符号の説明】
１０…情報表示装置（セットトップボックス）、
１１…ディスプレイ、  １２…赤外線受信素子、
１３…データ処理部、  １４…記録部、
１５…ホストサーバー、
２０…端末装置、  ２２…操作釦部（入力部）、
２３…ＩＤ受信素子（記憶装置）、  ２４…赤外線発光素子、
２８…シート材、  ２９ａ…ＩＤ番号、  ２９ｂ…バーコード、
３０…ＩＤ書込み装置、  ３１…データ供給装置、  ３２…印字機構、
【図１】
2004221798.tif 000003
【図２】
2004221798.tif 000004
【図３】
2004221798.tif 000005